【手続補正書】
【提出日】平成17年7月14日(2005.7.14)
【手続補正１】
【補正対象書類名】特許請求の範囲
【補正対象項目名】全文
【補正方法】変更
【補正の内容】
【特許請求の範囲】
【請求項１】
無線通信システムにおいて、
複数の候補信号事象の各々の周波数をそれぞれ第一の周波数制御ループによって取得すること、
複数の候補信号事象の少なくとも二つに関して取得を検出すること、及び
少なくとも二つの取得信号事象の平均周波数を第二の周波数制御ループによって追跡することを含む、受信信号において信号事象を取得する方法。
【請求項２】
平均周波数と各取得信号事象の周波数との間の残留周波数誤差を取得信号事象の第一の周波数制御ループによって追跡することをさらに含む、請求項１記載の方法。
【請求項３】
各取得信号事象の周波数誤差を第一の周波数制御ループから第二の周波数制御ループに転送することをさらに含む、請求項１記載の方法。
【請求項４】
各取得信号事象の周波数誤差を転送することが、
累算器の出力が取得信号事象の周波数誤差を示す、第一の周波数制御ループのための第一の累算器の出力を一定基準化（scaling）すること、及び
一定基準化された第一の累算器出力を第二の周波数制御ループのための第二の累算器に供給することを含む、請求項３記載の方法。
【請求項５】
各取得信号事象の周波数誤差を転送することが、取得信号事象のために使用された第一の周波数制御ループから得られた弁別器の値を第二の周波数制御ループの累算器に供給することを含む、請求項３記載の方法。
【請求項６】
各取得信号事象の周波数誤差を転送することが、第一の周波数制御ループのループ累算器出力を第二の周波数制御ループのループ累算器入力に接続することを含む、請求項３記載の方法。
【請求項７】
第二の周波数制御ループによって決定された平均周波数を持つ低変換信号で受信信号を低変換すること、
低変換された受信信号をデジタル化し、データ標本を生成すること、及び
各候補信号事象について、取得信号事象のための第一の周波数制御ループによって決定された周波数に基づいてデータ標本を周波数変換することをさらに含む、請求項１記載の方法。
【請求項８】
複数の候補信号事象の取得の間、第二の周波数制御ループを不能化することをさらに含む、請求項１記載の方法。
【請求項９】
少なくとも二つの取得信号事象の追跡の間、各取得信号事象のための第一の周波数制御ループ及び第二の周波数制御ループを可動にすることをさらに含む、請求項１記載の方法。
【請求項１０】
平均周波数が少なくとも二つの取得信号事象の周波数の一様な重み付けによって得られる、請求項１記載の方法。
【請求項１１】
より強い取得信号事象の周波数がより弱い取得信号事象の周波数より多く重み付けされるように、平均周波数が少なくとも二つの取得信号事象の周波数の非一様な重み付けによって得られる、請求項１記載の方法。
【請求項１２】
第一及び第二の周波数制御ループを複数のループ・モード中の一つで動作させることをさらに含む、請求項１記載の方法。
【請求項１３】
各候補信号事象のための第一の周波数制御ループを取得に関してより広いループ帯域幅を持つ第一のループ・モードに設定することをさらに含む、請求項１２記載の方法。
【請求項１４】
各取得信号事象のための第一の周波数制御ループを追跡に関してより狭いループ帯域幅を持つ第二のループ・モードに設定することをさらに含む、請求項１２記載の方法。
【請求項１５】
第一の処理方式に基づいて各候補信号事象における周波数誤差を検出するために使用される入力を得、及び
第二の処理方式に基づいて各取得信号事象における周波数誤差を検出するために使用される入力を得ることをさらに含む、請求項１２記載の方法。
【請求項１６】
取得が複数の候補信号事象に関して同時に行われる、請求項１記載の方法。
【請求項１７】
複数の候補信号事象の少なくとも二つの取得を検出することが、
各候補信号事象について少なくとも一つの検出器出力を得、及び
少なくとも一つの検出器出力が特定の時間間隔内に特定の閾値を越えれば、候補信号事象の取得を宣言することを含む、請求項１記載の方法。
【請求項１８】
各候補信号事象に関する取得が候補信号事象について得られた受信信号強度指標（ＲＳＳＩ）によって検出される、請求項１記載の方法。
【請求項１９】
各候補信号事象に関する取得が候補信号事象の周波数変換データ標本における残留周波数誤差の量を評価する周波数誤差評価器を使用して検出される、請求項１記載の方法。
【請求項２０】
特定の時間間隔内に特定の閾値を越える最も良い検出器出力を持つ取得信号事象に関するシステム取得を実行することをさらに含む、請求項１７記載の方法。
【請求項２１】
システム取得が実行されない各取得信号事象に関する取得情報を保持することをさらに含む、請求項２０記載の方法。
【請求項２２】
少なくとも二つの取得信号事象に関するシステム取得を実行することをさらに含む、請求項１記載の方法。
【請求項２３】
少なくとも二つの取得信号事象について復調シンボルを結合することをさらに含む、請求項２２記載の方法。
【請求項２４】
それぞれの第一の周波数制御ループに基づいて一以上の各追加候補信号の周波数を取得することをさらに含む、請求項１記載の方法。
【請求項２５】
追加候補信号事象の取得の間、各追加候補信号事象のための第一の周波数制御ループからの寄与を第二の周波数制御ループから除外することをさらに含む、請求項２４記載の方法。
【請求項２６】
少なくとも一つの追加候補信号事象に関する取得を検出すること、及び
少なくとも二つの取得信号事象および少なくとも一つの追加候補信号事象の平均周波数を第二の周波数制御ループによって追跡することをさらに含む、請求項２４記載の方法。
【請求項２７】
各第一の周波数制御ループが信号事象を周波数変換するために動作する回転器を含む、請求項１記載の方法。
【請求項２８】
発振器を平均周波数に固定化することをさらに含む、請求項１記載の方法。
【請求項２９】
通信システムが符号分割多元接続（ＣＤＭＡ）システムである、請求項１記載の方法。
【請求項３０】
ＣＤＭＡシステムがＩＳ‐９５またはｃｄｍａ２０００規格に適合する、請求項２９記載の方法。
【請求項３１】
ＣＤＭＡシステムがＷ‐ＣＤＭＡまたはＴＳ‐ＣＤＭＡ規格に適合する、請求項２９記載の方法。
【請求項３２】
符号分割多元接続（ＣＤＭＡ）通信システムにおいてパイロットを取得する方法であって、
複数の候補信号事象の各々の周波数をそれぞれの第一の周波数制御ループによって取得すること、
複数の候補信号事象の少なくとも二つに関する取得を検出すること、
少なくとも二つの取得信号事象の各々の周波数誤差を第一の周波数制御ループから第二の周波数制御ループへ転送すること、
少なくとも二つの取得信号事象の平均周波数を第二の周波数制御ループによって追跡すること、及び
平均周波数と各取得信号事象の周波数との間の残留周波数誤差を取得信号事象の第一の周波数制御ループによって追跡することを含む方法。
【請求項３３】
それそれの第一の周波数制御ループに基づいて一以上の各追加候補信号事象の周波数を取得すること、
少なくとも一つの追加候補信号事象に関する取得を検出すること、及び
少なくとも二つの取得信号事象および少なくとも一つの追加取得信号事象の平均周波数を第二の周波数制御ループによって追跡することをさらに含む、請求項３２記載の方法。
【請求項３４】
無線通信システムにおいて、受信信号における信号事象を取得する方法であって、
複数の候補信号事象の各々の周波数を取得すること、
少なくとも一つの検出器に基づいて複数の候補信号事象の少なくとも二つに関する周波数取得を検出すること、
少なくとも二つの取得信号事象の中で最も良い検出器出力を持つ取得信号事象に関するシステム取得を実行すること、及び
システム取得が実行されない各取得信号事象のために周波数取得情報を保持することを含む方法。
【請求項３５】
複数の候補信号事象の少なくとも二つに関する周波数取得を検出することが、
候補信号事象のための検出器出力が特定の時間間隔内に特定の閾値を越える各候補信号事象に関する取得を宣言することを含む、請求項３４記載の方法。
【請求項３６】
システム取得が少なくとも二つの取得信号事象について実行される、請求項３４記載の方法。
【請求項３７】
受信信号における複数の候補信号事象の周波数を複数の第一の周波数制御ループによって取得するように動作する複数のフィンガ・プロセッサ、
複数の候補信号事象の少なくとも二つの取得を検出するように動作する少なくとも一つの検出器、及び
少なくとも二つの取得信号事象の平均周波数を追跡するように動作する第二の周波数制御ループを含む、無線通信システムにおける受信器ユニット。
【請求項３８】
複数のフィンガ・プロセッサが、各取得信号事象の残留周波数誤差を取得信号事象のための第一の周波数制御ループによって追跡するようにさらに動作する、請求項３７記載の受信器ユニット。
【請求項３９】
受信信号中の信号事象を探索し、かつ複数の候補信号事象を提供するように動作する探索器をさらに含む、請求項３７記載の受信器ユニット。
【請求項４０】
各フィンガ・プロセッサがフィンガ・プロセッサに割当てられた信号事象を周波数変換するように動作する回転器を含む、請求項３７記載の受信器ユニット。
【請求項４１】
第二の周波数制御ループにより決定された周波数を有し、高周波からベースバンドへの受信信号の低変換に使用される周波数を得るために基準として使用される発振器をさらに含む、請求項３７記載の受信器ユニット。
【請求項４２】
符号分割多元接続（ＣＤＭＡ）システムにおける端末であって、
受信信号における複数の候補信号事象の周波数を複数の第一の周波数制御ループによって取得するように動作する複数のフィンガ・プロセッサ、
複数の候補信号事象の少なくとも二つに関する取得を検出するように動作する少なくとも一つの検出器、及び
少なくとも二つの取得信号事象の平均周波数を追跡するように動作する第二の周波数制御ループを含む端末。
【請求項４３】
複数のフィンガ・プロセッサが各取得信号事象の残留周波数誤差を取得信号事象のための第一の周波数制御ループによって追跡するようにさらに動作する、請求項４２記載の端末。
【請求項４４】
受信信号中の信号事象を探索し、かつ複数の候補信号事象を提供するように動作する探索器をさらに含む、請求項４２記載の端末。
【請求項４５】
各フィンガ・プロセッサがフィンガ・プロセッサに割当てられた信号事象を周波数変換するように動作する回転器を含む、請求項４２記載の端末。
【請求項４６】
第二の周波数制御ループが高周波からベースバンドへの受信信号の低変換を調整するように動作する、請求項４２記載の端末。